(57)【要約】【課題】ハーフミラーと全反射ミラーとを一つのミラー固定用部材で同時に固定でき、従来全反射ミラーを固定していたスプリング又は接着剤あるいは押え治具を抹消でき作業工程の削減できる光ピックアップのミラー固定構造を提供する。【解決手段】後部にハーフミラー２を押さえる略コ字形の平板部５と、平板部５の後部に下向きに延設されハーフミラー２の後面と取り付け用凹部１ａの後壁との間に差し込まれる一本の第１脚部６と、平板部５の前部から下向きに延設され、ハーフミラー２の前面部に押し付けられてハーフミラー２を固定する左右一対の第２脚部７と、平板部５の前部から前向きに全反射ミラー３のセット位置まで延設され、前部が斜め下向きに折曲されてその先端が前向きに反り返るように折曲され、その折曲部８が全反射ミラー３の前面に押接される形状の左右一対の腕部９とから形成されているミラー固定用部材を有する。【選択図】  図２
2005018872.tif 000002
【特許請求の範囲】
【請求項１】
ハーフミラーと全反射ミラーを光ピックアップの所定箇所にセットして、これらのハーフミラーと全反射ミラーを外れないように固定するようにした光ピックアップにおけるミラー固定構造において、後部にハーフミラーを押さえる略コ字形の平板部と、この平板部の後部に下向きに延設され、前記ハーフミラーの後面と取り付け用凹部の後壁との間に差し込まれる一本の第１脚部と、前記平板部の前部から下向きに延設され、ハーフミラーの前面部に押し付けられてハーフミラーを固定する左右一対の第２脚部と、前記平板部の前部から前向きに前記全反射ミラーのセット位置まで延設され、前部が斜め下向きに折曲されてその先端が前向きに反り返るように折曲され、その折曲部が前記全反射ミラーの前面に押接される形状の左右一対の腕部とから形成されているミラー固定用部材を有することを特徴とする光ピックアップのミラー固定構造。
【請求項２】
ハーフミラーと全反射ミラーを光ピックアップの所定箇所にセットして、これらのハーフミラーと全反射ミラーを外れないように固定するようにした光ピックアップにおけるミラー固定構造において、後部にハーフミラーを押さえる平板部と、この平板部の後部に下向きに延設され、前記ハーフミラーの後面と取り付け用凹部の後壁との間に差し込まれる第１脚部と、前記平板部の前部から下向きに延設され、ハーフミラーの前面部に押し付けられてハーフミラーを固定する第２脚部と、前記平板部の前部から前向きに前記全反射ミラーのセット位置まで延設され、前部が斜め下向きに折曲されてその先端が前向きに反り返るように折曲され、その折曲部が前記全反射ミラーの前面に押接される形状の左右一対の腕部とから形成されているミラー固定用部材を有することを特徴とする光ピックアップのミラー固定構造。
【請求項３】
前記腕部の折曲部は、前記全反射ミラーの前面に線接触している請求項２に記載の光ピックアップのミラー固定構造。
【請求項４】
前記腕部は左右一対設けられていて、その前部側の適宜箇所につなぎ片が左右向きに一体に掛け渡されている請求項２又は３に記載の光ピックアップのミラー固定構造。
【発明の詳細な説明】
【０００１】
【発明の属する技術分野】
本発明は、ハーフミラーと全反射ミラーを光ピックアップの所定箇所にセットして、これらのハーフミラーと全反射ミラーを外れないように固定するようにした光ピックアップのミラー固定構造に関するものである。
【０００２】
【従来の技術】
従来の光ピックアップのミラー固定構造は、ハーフミラーをスプリングで固定し、全反射ミラーを他のスプリングで固定するかもしくは接着剤を用いて仮止めして固定していた。
このために、スプリングを２つ必要とするとともに、ハーフミラーを固定する作業工程の他に全反射ミラーを固定する作業工程を必要とし、作業工程が多いという問題があった。
【０００３】
第１の従来技術を図９、図１０に示す。光通過孔１０２の４内側面１０５ａ〜１０５ｄのうちハーフミラー１０３の奥側端縁１０３ｃに対向する内側面１０５ｃの両側に、その光通過孔１０２の開口部１０２ａに連通する左右一対の凹溝１１１が形成され、両凹溝１１１に板ばね製固定具１１２の固定具本体１１２ａの両側縁部が挿通され、固定具本体１１２ａの両側縁部から延設されてハーフミラー１０３の表面に弾性的に当接する左右一対の押さえ板部１１２ｂを有し、固定具本体１１２ａの両側縁部から押さえ板部１１２ｂの延設方向とは逆方向に折曲されて内側面１０５ｃに係合する左右一対の係合爪部１１２ｃが設けられ、固定具本体１１２ａの中央部から係合爪部１１２ｃと同方向に折曲して光通過孔１０２の開口部１０２ａの周縁まで延びる引掛片部１１２ｄが設けられているものである。（例えば、特許文献１参照）。
ところが、これにおいては、１つのハーフミラー１０３を板ばね製固定具１１２で固定するだけであった。
【０００４】
第２の従来技術を図１１、図１２（ａ）（ｂ）に示す。ハーフミラー２０２はミラー保持部２０６に支えられており、ミラー接着保持面２０７ａには接着剤２０９により、ミラーつきあて保持面２０７ｂにはバネ２０８によって密着し固定されている。ハーフミラー２０２を固定するミラー接着保持面２０７ａには溝２１０を設けた構成である。（例えば、特許文献２参照）。
ところが、これにおいても、ハーフミラー２０２をバネ２０８で固定するだけであった。
【０００５】
【特許文献１】
特開２００２−２３０８０９号公報
【特許文献２】
特開平８−１１１０２７号公報
【０００６】
【発明が解決しようとする課題】
本発明は、上記従来の問題を解消し、ハーフミラーと全反射ミラーとを一つのミラー固定用部材で同時に固定することができ、従来全反射ミラーを固定していたスプリング又は接着剤あるいは押え治具を抹消することができ、作業工程の削減をすることができる光ピックアップのミラー固定構造を提供することを目的としている。
【０００７】
【課題を解決するための手段】
本発明は、上記課題を解決するために提案されたものであって、請求項１に記載の発明は、ハーフミラーと全反射ミラーを光ピックアップの所定箇所にセットして、これらのハーフミラーと全反射ミラーを外れないように固定するようにした光ピックアップにおけるミラー固定構造において、後部にハーフミラーを押さえる略コ字形の平板部と、この平板部の後部に下向きに延設され、前記ハーフミラーの後面と取り付け用凹部の後壁との間に差し込まれる一本の第１脚部と、前記平板部の前部から下向きに延設され、ハーフミラーの前面部に押し付けられてハーフミラーを固定する左右一対の第２脚部と、前記平板部の前部から前向きに前記全反射ミラーのセット位置まで延設され、前部が斜め下向きに折曲されてその先端が前向きに反り返るように折曲され、その折曲部が前記全反射ミラーの前面に押接される形状の左右一対の腕部とから形成されているミラー固定用部材を有することを特徴としている。
【０００８】
請求項２に記載の発明は、ハーフミラーと全反射ミラーを光ピックアップの所定箇所にセットして、これらのハーフミラーと全反射ミラーを外れないように固定するようにした光ピックアップにおけるミラー固定構造において、後部にハーフミラーを押さえる平板部と、この平板部の後部に下向きに延設され、前記ハーフミラーの後面と取り付け用凹部の後壁との間に差し込まれる第１脚部と、前記平板部の前部から下向きに延設され、ハーフミラーの前面部に押し付けられてハーフミラーを固定する第２脚部と、前記平板部の前部から前向きに前記全反射ミラーのセット位置まで延設され、前部が斜め下向きに折曲されてその先端が前向きに反り返るように折曲され、その折曲部が前記全反射ミラーの前面に押接される形状の左右一対の腕部とから形成されているミラー固定用部材を有することを特徴としている。
【０００９】
請求項３に記載の発明は、前記腕部の折曲部は、前記全反射ミラーの前面に線接触しているものである。
請求項４に記載の発明は、前記腕部は左右一対設けられていて、その前部側の適宜箇所につなぎ片が左右向きに一体に掛け渡されているものである。
【００１０】
【発明の実施の形態】
以下、本発明に係る光ピックアップのミラー固定構造の実施の形態について、図を参照しつつ説明する。
図１は本発明の第１実施形態の光ピックアップのミラー固定構造におけるミラーを固定する直前の状態を示す分解斜視図、図２は同構造のミラー固定時の状態を示す斜視図、図３は同構造のミラー固定時の状態を示す平面図、図４は同構造におけるミラー固定用部材で全反射ミラーを固定している状態を示す部分正面図である。
【００１１】
第１実施形態の光ピックアップのミラー固定構造は、図１に示すように、光ピックアップ１の略中央部に設けられた平面視略四方形の取り付け用凹部１ａにハーフミラー２が嵌め入れられていて、その前方の所定箇所の傾斜面部１ｂに全反射ミラー３が斜め向きに傾斜した状態でセットされている。
これらのハーフミラー２と全反射ミラー３は、一つのミラー固定用部材４で固定されるようになっていて、このミラー固定用部材４は、後部にハーフミラー２を押さえる略コ字形の平板部５と、この平板部５の後部に下向きに延設され、ハーフミラー２の後面と取り付け用凹部１ａとの間に差し込まれる一本の第１脚部６と、平板部５の前部から下向きに延設され、ハーフミラー２の前面部に押し付けられてハーフミラー２を固定する左右一対の第２脚部７、７と、平板部５の前部から前向きに全反射ミラー３のセット位置まで延設され、前部が斜め下向きに折曲されてその先端が前向きに反り返るように折曲され、その折曲部８が全反射ミラー３の前面に押接される形状の左右一対の腕部９、９とから形成されている。更に、第１脚部６と左右一対の第２脚部７、７の下端には、略円弧状の押え用曲部６ａ、７ａ、７ａが形成されている・
【００１２】
上記のように形成されたミラー固定用部材４で、光ピックアップ１にセットされたハーフミラー２と全反射ミラー３とを同時に固定するには、図２、図３に示すように、ハーフミラー２の後面と取り付け用凹部１ａの後壁との間にミラー固定用部材４の第１脚部６を差し込むとともに、左右一対の第２脚部７、７をハーフミラー２の前面部に押し付けて、略コ字形の平板面５でハーフミラー２の上面を押さえる。それと同時に、左右一文字の腕部９、９の先端の折曲部８を全反射ミラー３の前面の左右縁部近傍箇所に押接して、ハーフミラー２と全反射ミラー３とをミラー固定用部材４で同時に固定する。このとき、図４に示すように、ミラー固定用部材４の腕部７、７の折曲部８が、全反射ミラー３の前面に線接触している。
【００１３】
したがって、この第１実施形態によれば、一つのミラー固定用部材４でハーフミラー２と全反射ミラー３とを同時に固定することができ、従来全反射ミラーを固定していたスプリング又は接着剤あるいは押え治具を抹消することができ、作業工程の削減をすることができる。また、全反射ミラー３の前面に、ミラー固定用部材４の腕部７、７の折曲部８が線接触しているので、このミラー固定用部材４で全反射ミラーに傷をつける虞がない。
【００１４】
図５は第２実施形態の光ピックアップのミラー固定構造におけるミラーを固定する直前の状態を示す分解斜視図、図６は同構造のミラー固定時の状態を示す斜視図、図７は同構造のミラー固定時の状態を示す平面図、図８は同構造におけるミラー固定用部材で全反射ミラーを固定している状態を示す部分正面図である。尚、上記した第１実施形態における同一部材、同一箇所には同一符号を付して、その説明を省略する。
【００１５】
第２実施形態の光ピックアップのミラー固定構造は、図５、図６、図７に示すように、左右一対の腕部９、９には、その前部側の適宜箇所につなぎ片１０が左右向きに一体に掛け渡されている。
したがって、この第２実施形態によれば、左右一対の腕部９、９の前部側がつなぎ片１０で一体に繋がっているので、それぞれの腕部９、９の間隔が広まったり、腕部９、９が折れ曲がることを防ぐことができ、このつなぎ片１０で腕部９、９を補強することができる。
【００１６】
【発明の効果】
以上説明したように、請求項１に記載の発明は、ハーフミラーと全反射ミラーを光ピックアップの所定箇所にセットして、これらのハーフミラーと全反射ミラーを外れないように固定するようにした光ピックアップにおけるミラー固定構造において、後部にハーフミラーを押さえる略コ字形の平板部と、この平板部の後部に下向きに延設され、ハーフミラーの後面と取り付け用凹部の後壁との間に差し込まれる一本の第１脚部と、平板部の前部から下向きに延設され、ハーフミラーの前面部に押し付けられてハーフミラーを固定する左右一対の第２脚部と、平板部の前部から前向きに全反射ミラーのセット位置まで延設され、前部が斜め下向きに折曲されてその先端が前向きに反り返るように折曲され、その折曲部が全反射ミラーの前面に押接される形状の左右一対の腕部とから形成されているミラー固定用部材を有するので、以下に述べる効果を奏する。
【００１７】
即ち、一つのミラー固定用部材でハーフミラーと全反射ミラーとを同時に固定することができ、従来全反射ミラーを固定していたスプリング又は接着剤あるいは押え治具を抹消することができ、作業工程の削減をすることができる。更に、平板部が略コ字形に形成されているので、ハーフミラーの上面のほぼ全体をこの平板部で押さえることができて、ハーフミラーが取り付け用凹部から抜け出ることを防ぐことができる。
【００１８】
請求項２に記載の発明は、ハーフミラーと全反射ミラーを光ピックアップの所定箇所にセットして、これらのハーフミラーと全反射ミラーを外れないように固定するようにした光ピックアップにおけるミラー固定構造において、後部にハーフミラーを押さえる平板部と、この平板部の後部に下向きに延設され、ハーフミラーの後面と取り付け用凹部の後壁との間に差し込まれる第１脚部と、平板部の前部から下向きに延設され、ハーフミラーの前面部に押し付けられてハーフミラーを固定する第２脚部と、平板部の前部から前向きに全反射ミラーのセット位置まで延設され、前部が斜め下向きに折曲されてその先端が前向きに反り返るように折曲され、その折曲部が全反射ミラーの前面に押接される形状の左右一対の腕部とから形成されているミラー固定用部材を有するので、以下に述べる効果を奏する。
【００１９】
即ち、一つのミラー固定用部材でハーフミラーと全反射ミラーとを同時に固定することができ、従来全反射ミラーを固定していたスプリング又は接着剤あるいは押え治具を抹消することができ、作業工程の削減をすることができる。
【００２０】
請求項３に記載の発明は、腕部の折曲部は、全反射ミラーの前面に線接触しているので、このミラー固定用部材４で全反射ミラーに傷をつける虞がない。
請求項４に記載の発明は、腕部は左右一対設けられていて、その前部側の適宜箇所につなぎ片が左右向きに一体に掛け渡されているので、左右一対の腕部の前部側がつなぎ片で一体に繋がることとなり、それぞれの腕部の間隔が広まったり、腕部が折れ曲がることを防ぐことができ、このつなぎ片で腕部を補強することができる。
【図面の簡単な説明】
【図１】第１実施形態の光ピックアップのミラー固定構造におけるミラーを固定する直前の状態を示す分解斜視図である。
【図２】同構造のミラー固定時の状態を示す斜視図である。
【図３】同構造のミラー固定時の状態を示す平面図である。
【図４】同構造におけるミラー固定用部材で全反射ミラーを固定している状態を示す部分正面図である。
【図５】第２実施形態の光ピックアップのミラー固定構造におけるミラーを固定する直前の状態を示す分解斜視図である。
【図６】同構造のミラー固定時の状態を示す斜視図である。
【図７】同構造のミラー固定時の状態を示す平面図でる。
【図８】同構造におけるミラー固定用部材で全反射ミラーを固定している状態を示す部分正面図である。
【図９】従来の光ピックアップのハーフミラー固定装置を示す縦断面図である。
【図１０】同装置の分解斜視図である。
【図１１】従来の光ピックアップ装置の光学系を示す模式図である。
【図１２】（ａ）は同装置のハーフミラーの拡大斜視図、（ｂ）は同装置のハーフミラーの拡大断面図である。
【符号の説明】
１        光ピックアップ
１ａ      取り付け用凹部
１ｂ      傾斜面部
２        ハーフミラー
３        全反射ミラー
４        ミラー固定用部材
５        略コ字形の平板部
６        第１脚部
６ａ      略円弧状の押え用曲部
７        第２脚部
７ａ      略円弧状の押え用曲部
８        折曲部
９        左右一対の腕部
１０      つなぎ片
【図１】
2005018872.tif 000003
【図２】
2005018872.tif 000004
【図３】
2005018872.tif 000005
【図４】
2005018872.tif 000006
【図５】
2005018872.tif 000007
【図６】
2005018872.tif 000008
【図７】
2005018872.tif 000009
【図８】
2005018872.tif 000010
【図９】
2005018872.tif 000011
【図１０】
2005018872.tif 000012
【図１１】
2005018872.tif 000013
【図１２】
2005018872.tif 000014